【手続補正書】
【提出日】平成15年10月10日(2003.10.10)
【手続補正１】
【補正対象書類名】明細書
【補正対象項目名】０００４
【補正方法】変更
【補正の内容】
【０００４】
従来ネット上の決済手段は、いろいろ提案されており、その一つとしてもっとも一般的なのは、クレジットカードによる方法であるが、インターネット上の取引きをクレジットカードで行うことに対しては、日本の消費者は欧米と異なり、きわめて強い拒絶反応を示すと云う問題がある。これは、消費者がカードのＩＤを取引相手にオンラインで入力送信する際に、何らかの手段で当該ＩＤが所謂ハッカー等により不正に読み取られ、自己の銀行口座から違法に現金が引き出される事例が、しばしば報告されていることから、顧客が躊躇するのは無理からぬところである。他の決済手段としては、所謂電子マネーがあり、これはセキュリティはクレジットカードより高いものの、現実にはほとんど普及しておらず実際に利用できるサービスは、極めて限られているのが実情である。


【手続補正２】
【補正対象書類名】明細書
【補正対象項目名】００７８
【補正方法】変更
【補正の内容】
【００７８】
(２) 取り引きコード：
支払い金額（購入金額（又はリチャージ金額、若しくはリロード金額））、及びその精算完了の有無を示すコード。


【手続補正３】
【補正対象書類名】明細書
【補正対象項目名】００８９
【補正方法】変更
【補正の内容】
【００８９】
図１は、使用しうるプリペイドカード１の種類を例示的に示すものであって、（ａ）は記録領域が磁気ストライプ５である磁気カード１（５）、（ｂ）は記録領域がＩＣチップモジュール６であるＩＣカード１（６）、（ｃ）は記録領域がバーコード７であるバーコードカード１（７）である。なお、これらの記録方式が混在するコンビネーションカードであってもよいし、さらにそれ以外の記録方式に基づくものであっても構わない。また、バーコードの種類は特に限定するものではなく、二次元バーコード等であってもよい。


【手続補正４】
【補正対象書類名】明細書
【補正対象項目名】０１７３
【補正方法】変更
【補正の内容】
【０１７３】
すなわち、当該ＵＩＣに対する課金料金管理ファイルは、例えば図１２に示したようなデータが格納されている。すでに述べたように、当該ＵＩＣ（１２Ａ６７４Ｃ８９＃５７）に対して、トランザクションＮｏ．１で、５０００円の入力があったことが記録されている。トランザクションＮｏ．２以下が有料サービスプロバイダのＵＲＬと、配信情報のパケット量、課金料金、残り金額が記録されているエリアである。


【手続補正５】
【補正対象書類名】明細書
【補正対象項目名】０２０２
【補正方法】変更
【補正の内容】
【０２０２】
（マルチメディア端末装置によるリロード）
リロード（リチャージ）は、また、マルチメディア端末装置（以下、単にマルチメディア端末、または、ＭＭＴと略記することがある。）を利用しておこなうこともできる。マルチメディア端末とは、コンビニエンス・ストア、金融機関、学校、病院等多くの人が集まる任意の場所に設置されるタッチパネル機能付きディスプレイを備えたデバイスであって、インターネット等のネットワークを介して航空券販売サーバ、ホテル予約サーバ、音楽配信サーバ、ゲーム配信サーバ、パソコン販売サーバ、書籍販売サーバ、コンサート・映画のチケット予約販売、中古車販売サーバ等に接続されており、各種サービスや商品の購入希望者は、自ら端末を操作して、当該サーバに接続し、当該サーバより送信されてくる、それぞれのコンテンツや商品に応じたダイアログ画面を自ら操作しながら、必要な情報を入力することにより、航空券の販売、ホテルの予約、音楽・ゲームの配信等を受けることができるのである。ちなみに、これに類する装置としては、所謂ＭＭＳと称されるものなどが実際に稼働している。


【手続補正６】
【補正対象書類名】明細書
【補正対象項目名】０２６０
【補正方法】変更
【補正の内容】
【０２６０】
（本発明におけるプリペイドカードのリロード）
本発明におけるプリペイドカードのリロードは、すでに述べた、店舗処理端末装置、ＡＴＭ端末装置又はＭＭＴ端末装置により行うことができるが、本出願人がすでに提案しているように、さらに利用者を特定する識別番号ＵＩＣとこれと一対一で関連づけられたプリペイドシステムに関する入金を行うための個別銀行口座Ｄを利用する以下のようなシステムによることもできる（特願２０００−２８９９０１（特開２００２−９９８５０））。すなわち、これは、


【手続補正７】
【補正対象書類名】明細書
【補正対象項目名】図３
【補正方法】変更
【補正の内容】
【図３】店舗処理端末装置の一例を示す斜視図


【手続補正８】
【補正対象書類名】明細書
【補正対象項目名】符号の説明
【補正方法】変更
【補正の内容】
【符号の説明】
１ プリペイドカード
１ (５) 磁気カード
１ (６) ＩＣカード
１ (７) バーコードカード
５ 磁気ストライプ
６ ＩＣチップモジュール
７ バーコード
３０ 店舗処理端末装置
３１ カード挿入スロット
３０端末ユニット
３３ 第１の入力手段
３４ 液晶表示（ＬＣＤ）画面
３５ 第２の入力手段
３７ 記憶手段( ＲＡＭ部 )
３８ 中央制御手段
３９ ＰＯＳ端末用のデータ電文を出力する出力手段
３９商品コードのデータを出力する出力手段
４０ ＰＯＳ端末
４１ 通信制御手段
５０ ＡＴＭユニット
５３ カードリーダ手段
５５ 表示手段
５７ 紙幣入出金手段
５９ 硬貨入出金手段
６０ ＡＴＭ中央制御手段
６３ 現金管理手段
６５ ＡＴＭ記憶手段
６７ ＡＴＭ通信制御手段
６９ カード挿入スロット
６９請求書等挿入スロット
７０ 通帳挿入スロット
７１ 紙幣入出口
７３ 硬貨入出口
７５ タッチパネル表示部
８０ ＰＣ端末
８３ 携帯電話端末
８５ ＰＤＡ端末
１００ カード発行会社の課金管理コンピュータ
１００Ａ，１００Ｂ，１００Ｃ それぞれ別のカード発行会社Ａ，Ｂ，Ｃの課金管理コンピュータ
１０３ 中央制御手段
１０５ 課金管理データベース
１０７ 課金管理手段
１０９ 課金管理コンピュータのインターフェース部
１２０ 運用管理コンピュータ
２００ 銀行の管理用ホスト・コンピュータ
２０１ 銀行通信制御手段
２０３ 口座管理ファイル
２０８ 銀行中央制御手段
２０３−１ 購入希望者の顧客口座
２０３−２ カード発行会社の口座
３００ サービスプロバイダのサイト
３００Ｍ，３００Ｎ，３００Ｏ サービスプロバイダＭ，Ｎ，Ｏのサイト
３００ｐｏｓ 店舗処理ＰＯＳ端末装置
３３０ 第１の入力手段
３５０ 第２の入力手段
３７０ 記憶手段
３８０ 中央制御手段
３９０ ＰＯＳ入出力手段
３９５ ＰＯＳ通信制御手段
４００ マルチメディア端末装置（ＭＭＴ）
４０３ カードリーダー手段
４０５ ＭＭＴ中央制御手段
４０７ ＭＭＴ通信制御手段
４０９ ディスプレー手段
５０１ 出力手段
５０３ ＡＴＭ手段
６００ 本部管理サーバ
７００ 発番処理サーバ
７０１ 発番処理中央制御手段
７０３ 発番処理手段
７０５ 発番処理通信制御手段
７０７ モバイラーズクーポンＩＤ（ｍｂＩＤ）のデータベース
７０９ メンバーズカードＩＤ（ＭＩＤ）のデータベース
７１３ 発番データベース
１０００ ネットワーク
４０００ 発番端末装置
４０１０ メンバーズカード
４０３０ カードリーダー手段
４０５０ ｍｂＩＤ中央制御手段
４０７０ ｍｂＩＤ通信制御手段
４０９０ ディスプレー手段
５０１０ 出力手段
５０３０ ＡＴＭ手段
Ｌ ＰＯＳ端末へ出力する商品コードのデータ電文
Ｍ ホスト・コンピュータへ送出する商品情報等のデータ電文
ａ，ｂ，ｃ，ｄ，ｅ，ｚ 入力用ボタン